(57)【要約】【課題】コア材料や寸法誤差等のために、完成したトランスの特性にバラツキが発生する。コアの加工精度を高めたり寸法の異なる数種類のコアを用意するなどして対応しているが、コスト高になる問題があった。【解決手段】第１、第２のコア５０、６０を備える。横断面が非正円形の中央脚５３を第１のコア５０に設け、中央脚５３から空隙を介して等距離の位置にある二つの中脚６２を第２のコア６０に設け、側方に張り出した径大部６２ａをそれぞれの中脚６２の先端に形成する。中央脚５３の周りに一次巻線３０を巻回し、二つの中脚６２の周りにそれぞれ二次巻線４０Ａ、４０Ｂを巻回する。【選択図】    図１
2004273712.tif 000002
【特許請求の範囲】
【請求項１】
少なくとも一方のコアの両端部に設けられた複数の外脚を突き合わせて閉磁路を形成する第１、第２のコアを備え、横断面が非正円形の中央脚を第１のコアに設け、中央脚から空隙を介して等距離の位置にある二つの中脚を第２のコアに設け、側方に張り出した径大部をそれぞれの中脚の先端に形成するとともに、中央脚の周りに一次巻線を巻回し、二つの中脚の周りにそれぞれ第１、第２の二次巻線を巻回したことを特徴とする２出力インバータトランス。
【請求項２】
第１のコアが、複数の部材を結合して組立てられ、結合前の該中央脚が回転自在になされた請求項１の２出力インバータトランス。
【請求項３】
第２のコアが、別個に成形した二つの中脚と平板部とを結合して組立てられている請求項１の２出力インバータトランス。
【請求項４】
平板部の上面で且つ二つの中脚の中間の位置に、突起（６５）を形成した請求項３の２出力インバータトランス。
【発明の詳細な説明】
【０００１】
【発明の属する技術分野】
本発明は、放電管を点灯するインバータ装置に用いられるインバータトランスに係り、特に磁気漏れ型の２出力インバータトランスに関するものである。
【０００２】
【従来の技術】
従来の磁気漏れ型のインバータトランスとしては、例えば特許文献１に開示されたものがある。このトランスは、図１０に示すように突き合わせた二つのＥ型コア１、２を備え、空隙を介して対向する一方の中央脚１ａに一次巻線３を巻回し、他方の中央脚２ａに二次巻線４を巻回したものである。そして、中央脚２ａの先端に固定したＴ形コア５の突起５ａ、５ｂで側脚２ｂ、２ｃへの磁気分路を形成することによって、一次巻線３と二次巻線４の結合を疎にしている。
【０００３】
【特許文献１】特開平７−１７６４３９号公報
【０００４】
【発明が解決しようとする課題】
インバータ装置は、それぞれの仕様に応じて放電管の点灯開始時の開放電圧と点灯後の管電流の値が決められている。磁気漏れ型のインバータトランスを用いる場合、所望の漏れインダクタンスが得られるコアの寸法形状としたり、一次巻線と二次巻線との巻数比を選ぶことにより、所定の開放電圧と管電流が得られるようにトランスを設計している。しかしコア材料や寸法誤差等のために、完成したトランスの特性にはバラツキが発生する。このため、コアの加工精度を高めたり寸法の異なる数種類のコアを用意するなどして対応しているが、コスト高になる問題があった。
【０００５】
【課題を解決するための手段】
本発明は、一次巻線と二次巻線との結合度をインバータトランスの組立工程で微調整できるように構成して、点灯開始電圧と管電流の値を所定の値に合わせられるようにしたものである。
すなわち本発明は、少なくとも一方のコアの両端部に設けられた複数の外脚５１、５２を突き合わせて閉磁路を形成する第１、第２のコアを備え、横断面が非正円形の中央脚５３を第１のコアに設け、中央脚５３から空隙を介して等距離の位置にある二つの中脚６２を第２のコアに設け、側方に張り出した径大部６２ａをそれぞれの中脚６２の先端に形成するとともに、中央脚５３の周りに一次巻線３０を巻回し、二つの中脚６２の周りにそれぞれ二次巻線４０Ａ、４０Ｂを巻回した構成を特徴とする。
【０００６】
【実施例】
図１は本発明のインバータトランスの一実施例を示す正面断面図、図２はその平面図である。絶縁性の一つの上ボビン１０と、同一形状の二つの下ボビン２０を備えている。図３に示すように、上ボビン１０は複数の端子１５を側面に取付けたベース部１１と、ベース部１１に一体成形された鍔付きの巻軸１２を備えている。巻軸１２は上下に貫通する孔１３を有する円筒形をしている。上ボビン１０の巻軸１２には一次巻線３０を巻回し、図示しないそのリード線を端子１５に接続してある。
【０００７】
下ボビン２０は、図４に示すように複数の端子２５を側面に取付けたベース部２１と、ベース部２１に一体成形された鍔付きの巻軸２２を備えている。巻軸２２は上下に貫通する孔２３を有する筒形である。二つの下ボビン２０の巻軸２２にはそれぞれ二次巻線４０Ａ、４０Ｂを巻回し、リード線を端子２５に接続してある。
【０００８】
磁性体からなる上コア５０と下コア６０が互いに突き合わされて閉磁路を形成している。図５に示すように、上コア５０は、全体としては二つの外脚５１、５２と中央脚５３を有する断面Ｅ形をしている。図６に分解して示すように、上コア５０はＵ形の第１の部材５０ＡとＴ形の第２の部材５０Ｂを組み合わせて一体化してある。
【０００９】
Ｕ形の第１の部材５０Ａは平面部５４の両端に外脚５１、５２を有し、平面部５４の中央に貫通孔５５を備えている。Ｔ形の第２の部材５０Ｂは、平板状の円形部５６の中央から、横断面が長円形をした中央脚５３が下方に突出している。貫通孔５５の中に円形部５６を位置させ、磁性体粉末を混入した接着剤５７で第１の部材５０Ａと第２の部材５０Ｂを互いに接合して上コア５０が形成されている。
【００１０】
下コア６０は同一形状の二つの中脚６２を備えている。図７に示すように、中脚６２の上端には、側方に張り出した円形の径大部６２ａを一体に形成してある。径大部６２ａは中脚６２の下部よりも大きな径のものであればよく、円形に限らず長円形などでもよい。二つの中脚６２は中央脚５３から等距離の位置にある。中脚６２と中央脚５３の間には空隙が設けられている。
【００１１】
下コア６０は、別個に成形した平板部６１と二つの中脚６２の三つの部材を一体化したもので、平板部６１に設けた孔６３に中脚６２の径小部６２ｂを嵌合してある。６４は二次巻線４０Ａ、４０Ｂのリード線を通過させるための切欠部である。平板部６１の上面には、二つの中脚６２の中間の位置に突起６５が形成してある。この突起６５の高さは、必要とする二次巻線４０Ａ、４０Ｂ間の結合の大きさに応じて選ばれ、突起６５が不要な場合もある。
【００１２】
図１に示すように、上コア５０の中央脚５３は巻軸１２の孔１３の中に挿入してある。孔１３の直径は、長円形の中央脚５３を中で回転できる大きさになされている。下コア６０は、中脚６２の径大部６２ａと平板部６１との間に下ボビン２０を挟み且つ中脚６２を巻軸２２の内部に挿入してある。そして、中脚６２の径小部６２ｂを孔６３の中に嵌合して平板部６１と中脚６２を互いに固定してある。横に張り出した径大部６２ａによって、磁束の一部が外脚５１、５２側に漏れる磁気分路が形成されている。図１に＊印を付した箇所が、一次巻線３０と二次巻線４０の結合度およびインダクタンスの調整に利用できる磁束の通路である。
【００１３】
次に、このインバータトランスの組立方法について説明する。まず、巻軸１２に一次巻線３０を巻回しリード線を端子１５に接続した上ボビン１０を用意する。また、巻軸２２に二次巻線４０Ａ、４０Ｂをそれぞれ巻回してリード線を端子２５に接続した二つの下ボビン２０を用意する。そして、下ボビン２０を下コア６０の平板部６１の上に載置した状態で、中脚６２を孔２２に挿入し、さらに径小部６２ｂを孔６３の中に嵌合して平板部６１と中脚６２を互いに固定する。
【００１４】
さらに、上ボビン１０を組み込み、上コア５０のＵ形の第１の部材５０Ａ（図６）を下コア６０に固定する。次いで、第２の部材５０Ｂの中央脚５３を巻軸１２の孔１３の中に挿入して、第２の部材５０Ｂを水平方向に回転させる。第２の部材５０Ｂを回転すると断面が長円形の中央脚５３が回転し、中脚６２の径大部６２ａとの距離が変わる。この距離の変化に応じて磁気抵抗が変化するので、第２の部材５０Ｂを回転することによって一次巻線３０と二次巻線４０との結合度と各巻線のインダクタンスを調整できる。
【００１５】
インバータトランスの端子をインバータ回路に接続し、特性を計測しながら第２の部材５０Ｂを回転する。そして、所望の結合度とインダクタンスが得られた位置で第２の部材５０Ｂの回転を停止し、第１の部材５０Ａと第２の部材５０Ｂを接着剤５７などで固定する。以上でインバータトランスの組み立てが完了する。なお、中央脚５３及び径大部６２ａの対向面の形状は長円形や楕円形に限らず、非円形であればよい。また、実施例で上コア５０に設けた外脚５１、５２は下コア６０側に一体成形してもよく、絶縁性のコアを使用した場合はボビン１０、２０を使用せず、端子電極をコアに直付けしてもよい。
【００１６】
【発明の効果】
本発明によれば一次巻線と二次巻線との結合度を微調整することでコアの寸法誤差等のトランス部品のバラツキを吸収でき、所望の結合度及び漏れインダクタンスを有する、特性の安定した２出力型のインバータトランスを容易に得ることができる。
【図面の簡単な説明】
【図１】本発明のインバータトランスの一実施例を示す正面断面図
【図２】同トランスの平面図
【図３】第１のボビンの側面断面図
【図４】第２のボビンの側面断面図
【図５】第１のコアを下方から見た斜視図
【図６】第１のコアを下方から見た分解斜視図
【図７】第２のコアの一部分解斜視図
【図８】インバータトランスの従来例を示す正面断面図
【符号の説明】
３０    一次巻線
４０    二次巻線
５０    上コア
５３    中央脚
６０    下コア
６２    中脚
６２ａ  径大部
【図１】
2004273712.tif 000003
【図２】
2004273712.tif 000004
【図３】
2004273712.tif 000005
【図４】
2004273712.tif 000006
【図５】
2004273712.tif 000007
【図６】
2004273712.tif 000008
【図７】
2004273712.tif 000009
【図８】
2004273712.tif 000010